(57)【要約】【課題】針棒ストロークの調節を容易に行う。【解決手段】ミシンモータから動力を得て支軸３９回りで回動を行う第一のベルクランク３１と、第一のベルクランクに連結された第一の伝達リンク３２と、第一の伝達リンク３２と針棒側との間に介在する第二の伝達リンク３３と、第一又は第二の伝達リンクに連結されて連結点３８を移動可能な第二のベルクランク５４と、第二のベルクランクの他端側に連結され、初期位置と前進位置に移動可能で、連結点を第一ベルクランク３１の支軸３９に重なる位置と前進位置への移動により重なる位置より離間した離間位置とに移動させるアクチュエータ５２とを備え、第二のベルクランク又はアクチュエータ５２に当接する第１ストッパ５６を進退可能に連結し、アクチュエータの前進位置を調節する調節モータ５３を有し、これにより連結点３８の離間位置を調節して、針棒ストロークを調節する。【選択図】図３
2010012235.tif 000002
【特許請求の範囲】
【請求項１】
ミシンモータにより回転する主軸と、
前記主軸に固定装備された偏心カムと、
支軸に回動自在に支持されると共に、一端側が前記偏心カム側に連結された第一のベルクランクと、
一端側が前記第一のベルクランクに連結された第一の伝達リンクと、
一端側が前記第一の伝達リンクに、他端側が針棒側に連結される第二の伝達リンクと、  支軸を中心に回動自在に支持されると共に、一端側が前記第一の伝達リンクまたは第二の伝達リンクに連結され、前記第一の伝達リンクと第二の伝達リンクの連結点を移動可能な第二のベルクランクと、
前記第二のベルクランクの他端側に連結され、初期位置と前進位置に移動可能で、前記連結点を、前記第一ベルクランクの支軸に重なる位置と、前記前進位置への移動により前記重なる位置より離間した離間位置とに移動させるアクチュエータと、を備え、
前記ミシンモータにより回転する前記主軸から前記偏心カムを介して周回動作を取り出すと共に往復動作に変換して針棒に伝達するミシンの針上下動機構において、
前記第二のベルクランクまたは前記アクチュエータに当接する第１ストッパを進退可能に連結し、前記アクチュエータの前進位置を調節する調節モータを有し、前記調節モータにより前記連結点の離間位置を調節して、針棒ストロークを調節することを特徴とするミシンの針上下動機構。
【請求項２】
ミシンモータにより回転する主軸と、
前記主軸に固定装備された偏心カムと、
支軸に回動自在に支持されると共に、一端側が前記偏心カム側に連結された第一のベルクランクと、
一端側が前記第一のベルクランクに連結された第一の伝達リンクと、
一端側が前記第一の伝達リンクに、他端側が針棒側に連結される第二の伝達リンクと、  支軸を中心に回動自在に支持されると共に、一端側が前記第一の伝達リンクまたは第二の伝達リンクに連結され、前記第一のベルクランクの支軸に重なる位置を含む移動範囲内で前記第一の伝達リンクと第二の伝達リンクの連結点を移動可能とする調節リンクと、を備え、
前記ミシンモータにより回転する前記主軸から前記偏心カムを介して周回動作を取り出すと共に往復動作に変換して針棒に伝達するミシンの針上下動機構において、
前記調節リンクを回動させる調節モータを設け、前記調節モータの駆動により、前記連結点を前記第一のベルクランクの支軸に重なる位置及び当該位置より離間した離間位置とに移動させて、針棒ストロークを調節することを特徴とするミシンの針上下動機構。
【請求項３】
前記第一の伝達リンクと第二の伝達リンクの連結点の移動量又は連結点の移動に伴ういずれか部材の角度変化量を検出する検出手段と、
前記検出手段の出力に従って目標となる針棒ストロークになるように前記調節モータを制御する制御手段とを備えることを特徴とする請求項１又は２に記載のミシンの針上下動機構。
【発明の詳細な説明】
【技術分野】
【０００１】
本発明は、針棒ストロークを調節可能なミシンの針上下動機構に関する。
【背景技術】
【０００２】
従来のミシンの針上下動機構１００を図７及び図８に示す。この針上下動機構１００は、ミシンモータにより全回転を行う主軸１０１と、主軸１０１に固定装備された偏心カム１０２と、一端部に偏心カム１０２を擁する偏心ロッド１０３と、第一の回動腕部１０４ａを偏心ロッド１０３に連結された第一のベルクランク１０４と、第一のベルクランク１０４の第二の回動腕部１０４ｂと一端部が連結された第一の伝達リンク１０６と、第一の伝達リンク１０６の他端部と一端部が連結された第二の伝達リンク１０７と、第二の伝達リンク１０７の他端部と連結された従動アーム１０８と、従動アーム１０８を固定支持する往復回動軸１０９と、回動軸１０９に固定支持された主動アーム１１３と、主動アーム１１３の回動端部と針棒１３０とを連結して横方向の位置変位を許容する小リンク１１４と、第一の回動腕部１１０ａが電磁ソレノイド１２０に連結された第二のベルクランク１１０と、第二のベルクランク１１０の第二の回動腕部１１０ｂと前述した第一の伝達リンク１０６と第二の伝達リンク１０７との連結点１１１とを連結する連結リンク１１２とを備えている。
【０００３】
通常の縫製時には、図７に示すように、主軸１０１が全回転を行うと、ベルクランク１０４が揺動を行い、ベルクランク１０４の第二の回動腕部１０４ｂの上下方向の変位は、ほぼそのまま従動アーム１０８に伝達され、往復回動軸１０９、主動アーム１１３，小リンク１１４を介して針棒１３０の上下動が行われることとなる。
一方、針棒の上下動を停止させる必要がある場合には、図８に示すように、電磁ソレノイド１２０が縮退方向に作動して、第二のベルクランク１１０を図示反時計方向に回動させ、連結リンク１１２を介して、第一の伝達リンク１０６と第二の伝達リンク１０７との連結点１１１を第一のベルクランク１０４の揺動支軸１０５と同心となる位置に移動させる。これにより、主軸１０１の全回転により第一のベルクランク１０４が揺動を行っても、第一の伝達リンク１０６は、連結点１１１を中心に揺動を行うのとなり、第二の伝達リンク１０７は全く動作しない状態となる。
このように、従来のミシンの針上下動機構１００は、通常の針上下動状態と針停止状態とを切り換えることが可能となっていた（例えば、特許文献１参照）。
【先行技術文献】
【特許文献】
【０００４】
【特許文献１】特開２００３−３２６０５５号公報
【発明の概要】
【発明が解決しようとする課題】
【０００５】
しかしながら、上記従来の針上下動機構１００は、針棒の駆動と停止とを切り換えることは可能であったが、針棒ストロークの調節は、部品の交換等を行わないとできないという問題があった。このため、通常はストロークを一定としたままで縫製が行われ、縫製物の滑り安さや厚さ或いは上糸の糸番などの諸条件により、縫い針の上昇転換時に形成される上糸のループの大きさが大小変化を生じた場合でも、これを適正に調整することができず、釜の剣先がループを捕捉できずに縫い不良を生じ得るという問題があった。
特に、上記縫いの諸条件の変化に対して、容易なストローク調整ができないため、針棒ストロークの異なるミシンを準備する必要があった。
【０００６】
本発明は、縫い針の上下ストローク調節を容易に行うことを、その目的とする。
【課題を解決するための手段】
【０００７】
以下の記載では、発明の各構成に対して、「発明を実施するための最良の形態」の対応する各構成の符号を付して例示することとする。なお、当然のことながら、発明の各構成は、実施の形態の各構成に限定されるものではない。  請求項１記載の発明は、ミシンモータにより回転する主軸（１）と、前記主軸に固定装備された偏心カム（２１）と、支軸（３９）に回動自在に支持されると共に、一端側が前記偏心カム側に連結された第一のベルクランク（３１）と、一端側が前記第一のベルクランク（３１）に連結された第一の伝達リンク（３２）と、一端側が前記第一の伝達リンク（３２）に、他端側が針棒側に連結される第二の伝達リンク（３３）と、支軸（５９）を中心に回動自在に支持されると共に、一端側が前記第一の伝達リンク（３２）または第二の伝達リンク（３３）に連結され、前記第一の伝達リンクと第二の伝達リンクの連結点（３８）を移動可能な第二のベルクランク（５４）と、前記第二のベルクランク（５４）の他端側に連結され、初期位置と前進位置に移動可能で、前記連結点を、前記第一ベルクランク（３１）の支軸（３９）に重なる位置と、前記前進位置への移動により前記重なる位置より離間した離間位置とに移動させるアクチュエータ（５２）と、を備え、
前記ミシンモータにより回転する前記主軸（１）から前記偏心カム（２１）を介して周回動作を取り出すと共に往復動作に変換して針棒に伝達するミシンの針上下動機構（１０）において、前記第二のベルクランク（５４）または前記アクチュエータ（５２）に当接する第１ストッパ（５６）を進退可能に連結し、前記アクチュエータ（５２）の前進位置を調節する調節モータ（５３）を有し、前記調節モータ（５３）により前記連結点（３８）の離間位置を調節して、針棒ストロークを調節することを特徴とする。
【０００８】
請求項２記載の発明は、ミシンモータにより回転する主軸（１）と、前記主軸に固定装備された偏心カム（２１）と、支軸に回動自在に支持されると共に、一端側が前記偏心カム側に連結された第一のベルクランク（３１）と、一端側が前記第一のベルクランクに連結された第一の伝達リンク（３２）と、一端側が前記第一の伝達リンクに、他端側が針棒側に連結される第二の伝達リンク（３３）と、支軸を中心に回動自在に支持されると共に、一端側が前記第一の伝達リンクまたは第二の伝達リンクに連結され、前記第一のベルクランクの支軸に重なる位置を含む移動範囲内で前記第一の伝達リンクと第二の伝達リンクの連結点を移動可能とする調節リンク（８１）と、を備え、前記ミシンモータにより回転する前記主軸から前記偏心カムを介して周回動作を取り出すと共に往復動作に変換して針棒に伝達するミシンの針上下動機構（１０）において、
前記調節リンクを回動させる調節モータ（８０）を設け、前記調節モータの駆動により、前記連結点を前記第一のベルクランク（３１）の支軸（３９）に重なる位置及び当該位置より離間した離間位置とに移動させて、針棒ストロークを調節することを特徴とする。
【０００９】
請求項３記載の発明は、請求項１又は２に記載の発明と同様の構成を備えると共に、前記第一の伝達リンク（３２）と第二の伝達リンク（３３）の連結点（３８）の移動量又は連結点（３８）の移動に伴ういずれか部材の角度変化量を検出する検出手段（６０）と、前記検出手段（６０）の出力に従って目標となる針棒ストロークになるように前記調節モータ（５３）を制御する制御手段（７０）とを備えることを特徴とする。
【発明の効果】
【００１０】
請求項１記載の発明は、偏心カムから第一のベルクランクを経て変換された往復動作を針棒に伝達する端部同士が連結された二つのリンク体の連結点の位置を、アクチュエータにより、第一ベルクランクの支軸に重なる位置とそれより離間した離間位置と位置切り換え可能とする。その際、連結点の位置が第一ベルクランクの支軸に重なる位置となるときには、針棒側に往復動作が伝達されない状態となり、連結点の位置が離間位置となるときにはその離間距離に応じたストロークで針棒側に往復動作が伝達されることとなる。
そして、上記離間距離は、調節モータにより第１ストッパを進退移動させることで調整可能であることから、結果的に、調節モータにより針棒ストロークを調節することが可能となることから、針棒ストロークの調節の際には部品交換の必要がなく、針棒の動作中であっても容易にストローク調節を行うことが可能である。
さらに、縫製物の滑り安さや厚さ或いは上糸の糸番などの諸条件が変化した場合にも、速やかにこれに対応して針棒ストロークを変えることができ、特に、縫いの最中で布地の厚さ変化を生じた場合でもこれに対応し得るため、釜のループ捕捉ミスによる縫い不良を効果的に回避し、縫い品質の向上を図ることが可能となる。
【００１１】
請求項２記載の発明は、偏心カムから第一のベルクランクを経て変換された往復動作を針棒に伝達する端部同士が連結された二つのリンク体の連結点の位置の移動範囲が、第一ベルクランクの支軸に重なる位置を含む範囲で移動調節可能であるため、連結点の位置が第一ベルクランクの支軸に重なる位置となるときには、針棒側に往復動作が伝達されない状態となり、連結点の位置がそこから離間した位置となるときにはその離間距離に応じたストロークで針棒側に往復動作が伝達されることとなる。
そして、調節モータの駆動により二つのリンク体の連結点の位置を調整することが可能なので、針棒ストロークの調節の際には部品交換の必要がなく、針棒の動作中であっても容易にストローク調節を行うことが可能である。
さらに、縫製物の滑り安さや厚さ或いは上糸の糸番などの諸条件が変化した場合にも、速やかにこれに対応して針棒ストロークを変えることができ、特に、縫いの最中で布地の厚さ変化を生じた場合でもこれに対応し得るため、釜のループ捕捉ミスによる縫い不良を効果的に回避し、縫い品質の向上を図ることが可能となる。
【００１２】
請求項３記載の発明は、第一の伝達リンクと第二の伝達リンクの連結点の移動量又は第一の伝達リンクと第二の伝達リンクの連結点の移動に伴って角度変化を生じるいずれかの部材の角度変化量を検出手段で検出し、これを監視しつつ移動調節機構の駆動源の動作制御を行うことから、目標動作量と実動作量とを一致させることができ、より正確に目標針棒ストロークに調節することが可能となる。
なお、「いずれかの部材」とは、二つのリンク体のいずれかでも良いし、これらと連動する他の部材でも良い。
【図面の簡単な説明】
【００１３】
【図１】本発明の第１実施形態であるミシンの針上下動機構の要部の斜視図である。
【図２】本発明の第１実施形態であるミシンの針上下動機構の要部の断面図である。
【図３】針上下動機構の全体構成を示した針棒停止状態の動作説明図である。
【図４】針上下動機構の全体構成を示した針棒作動状態の動作説明図である。
【図５】ミシンの制御系を示すブロック図である。
【図６】本発明の第２実施形態における、針上下動機構の全体構成を示した針棒作動状態の動作説明図である。
【図７】従来の針上下動機構の全体構成を示した針棒作動状態の動作説明図である。
【図８】従来の針上下動機構の全体構成を示した針棒停止状態の動作説明図である。
【発明を実施するための形態】
【００１４】
（第１の実施形態）
図１は本発明の第１実施形態であるミシンの針上下動機構１０の要部の斜視図、図２は同要部の断面図、図３及び図４は全体構成を示した動作説明図、図５はミシンの制御系を示すブロック図である。
図示のように、ミシンの針上下動機構１０は、ミシンモータ３により全回転を行う主軸１と、主軸１の回転動作を変換して往復動作を取り出す変換機構２０と、変換機構２０から針棒３に往復動作を伝達する伝達機構３０と、伝達機構３０が伝える往復ストロークを調節する移動調節機構としてのストローク調節機構５０とを備えている。
なお、ミシンは二本針ミシンであり、針棒２は二本搭載されているので、上記針上下動機構１０は、変換機構２０、伝達機構３０、ストローク調節機構５０をそれぞれ二つずつ備えているが、これらはいずれも同一構造なので、一方のみを説明することとする。
【００１５】
（変換機構）
主軸１は、ミシンフレーム内に水平方向を向いた状態で回転可能に支持されており、ミシンモータ３に直結して、或いは歯車列やベルト機構を介してミシンモータ３から回転駆動力を付与されて全回転を行う。
変換機構２０は、主軸１に固定装備された偏心カム２１と、一端部に偏心カム２１を擁する偏心ロッド２２とを備えている。偏心カム２１は正円形であり、偏心ロッド２２はその一端部の環状部で偏心カム２１を回転可能に保持して、他端部で偏心カム２２の周回運動の所定方向の成分を往復動作として出力する。
【００１６】
（伝達機構）
伝達機構３０は、偏心ロッド２２の他端部が第一の回動腕部３１ａに連結され、機枠に固定された支軸３９に支持された第一のベルクランク３１と、第一のベルクランク３１の第二の回動腕部３１ｂが一端部に連結された第一の伝達リンク３２と、第一の伝達リンク３２の他端部が一端部に連結された第二の伝達リンク３３と、第二の伝達リンク３３の他端部が回動端部に連結された従動アーム３４と、従動アーム３４を固定支持して自らが回動を行う往復回動軸３５と、往復回動軸３５に固定支持された主動アーム３６と、主動アーム３６の回動端部と針棒２とを連結して横方向の位置変位を許容する小リンク３７とを備えている。
【００１７】
上記第一の伝達リンク３２と第二の伝達リンク３３は、これらがほぼ一直線に並んだ状態或いは幾分屈曲した状態で第一のベルクランク３１から付与される円弧に沿った往復動作を従動アーム３４に伝達する機能を持つ。
そして、第一の伝達リンク３２と第二の伝達リンク３３の連結点３８が第一のベルクランク３１の回動支軸（支軸）３９に近づく位置にあるほど、第一のベルクランク３１から従動アーム３４に伝達する往復動作量が小さくなり、一致すると伝達量が0となる傾向にある。
【００１８】
（ストローク調節機構）
ストローク調節機構５０は、ミシンのアーム部内に固定装備された支持枠５１と、第一の伝達リンク３２と第二の伝達リンク３３の連結点３８の位置を移動させるためのアクチュエータである電磁ソレノイド５２と、連結点３８の目標位置を調節する駆動源である調節モータ５３と、第一の回動腕部５４ａが電磁ソレノイド５２に連結された第二のベルクランク５４と、第二のベルクランク５４の第二の回動腕部５４ｂと前述した第一と第二の伝達リンク３２，３３の連結点３８とを連結する連結リンク５５と、調節モータ５３の回転駆動により進退移動を行う第１ストッパとしての移動体５６と、連結点３８が第一のベルクランク３１の回動支軸３９に一致する角度で第二のベルクランク５４の回動を制止する第２ストッパ５７と、第二のベルクランク５４を移動体５６に当接する回動方向に付勢する付勢手段としての押圧バネ５８と、第二のベルクランク５４の支軸５９と、支軸５９を介して第二のベルクランク５４の角度変化量を検出する検出手段としてのエンコーダ６０と、調節モータ５３の動作制御を行う制御部７０とを備えている。
なお、ストローク調節機構５０は二本の針棒２に対応して二基設けられていると前述したが、支持枠５１及び制御部７０については一つしか設けられておらず、二つのストローク調節機構５０で共用して用いられている。
また、アクチュエータとしての電磁ソレノイド５２の前進位置への移動は、第一の伝達リンク３２と第二の伝達リンク３３の連結点３８を、第一ベルクランク３１の支軸３９に重なる位置とそれより離間した離間位置とに移動させる。
【００１９】
第二のベルクランク５４は、支持枠５１に水平に設けられた支軸５９に固定支持されており、支軸５９は支持枠５１に対して回転可能に支持されている。
そして、第二のベルクランク５４は、支軸５９を中心として第一と第二の回動腕部５４ａ，５４ｂがそれぞれ異なる方向に延出されている。
第二の回動腕部５４ｂはおおむね鉛直方向に延出され、その端部が連結リンク５５の一端部に連結されて、伝達リンク体３２，３３の連結点３８を略水平方向に移動させる。
第一の回動腕部５４ａはおおむね水平方向に延出され、その端部がアクチュエータとしての電磁ソレノイド５２のプランジャに連結されている。そして、かかる第一の回動腕部５４ａは、上方に位置する第１ストッパーとしての移動体５６と下方に位置する第２ストッパ５７とにより上限位置（前進位置相当）と下限位置（初期位置相当）とが制限されており、これらの間で回動を可能としている。そして、電磁ソレノイド５２は、駆動により初期位置から前進位置に移動する。この移動に伴い、連結点３８は、第一のベルクランクの支軸３９に重なる位置と、それより離間した離間位置（図４に示す）に移動する。
また、第二のベルクランク５４はその支軸５９を介してバネ支持腕６１と供回り可能に連結されており、このバネ支持腕６１はその回動端部で前述した押圧バネ５８により第二のベルクランク５４の第一の回動腕部５４ａが移動体５６に圧接する方向に押圧されている。つまり、第二のベルクランク５４の第一の回動腕部５４ａは、常時上方（移動体５６）側に付勢されている。一方、電磁ソレノイド５２は、かかる押圧バネ５８の押圧力に抗して第一の回動腕部５４ａを下方（ストッパ５７）側に引き寄せる方向に作動を行う。
【００２０】
移動体５６は、その下端部に第二のベルクランク５４の第一の回動腕部５４ａとの対向面５６ａを有するネジ軸であり、支持枠５１により鉛直方向に沿った状態で支持されている。また、支持枠５１は、ネジ穴により移動体５６を支持していることから、移動体５６を回転させることで、対向面５６ａを上下に移動させることを可能としている。
そして、第二のベルクランク５４の第一の回動腕部５４ａは、前述したように、常時押圧バネ５８により移動体５６側に押圧されていることから、電磁ソレノイド５２引っ張り力を生じていないときには常に、第一の回動腕部５４ａが移動体５６の対向面に圧接した状態となる。従って、移動体５６の回転調節により、伝達リンク体３２，３３の連結点３８を任意の位置に合わせることが可能となっている。
【００２１】
移動体５６は、その上端部がカップリング５３ａを介して調節モータ５３の出力軸に直結されており、当該調節モータ５３の駆動により対向面５６ａの高さ調節及び伝達リンク体３２，３３の連結点３８の位置調節を可能とし、ひいては、伝達機構３０による針棒ストロークの調節を可能としている。
【００２２】
（ミシンの制御系）
調節モータ５３を制御する制御部７０は、ミシン全体の制御も担っている。ここで、ミシンの制御系について図５に基づいて説明する。
制御部７０は、図示しないインターフェイス及びドライバを介して、ミシンモータ３、各針上下動機構１０の調節モータ５３、５３、電磁ソレノイド５２が接続されており、これらの動作制御を行うことができる。
また、制御部７０は、図示しないインターフェイスを介してミシンモータ３の回転角度及び回転数をカウントするタコジェネレータ４、各種設定の入力を行う操作パネル７２、各針上下動機構１０のエンコーダ６０、６０が接続されており、これらの検出信号や設定情報に基づいて、上記各制御対象の制御を行う。
【００２３】
針上下動機構１０のエンコーダ６０は、支軸５９を介して第二のベルクランク５４の回動角度を検出することができる。この第二のベルクランク５４の回動角度を変数とする所定の関数から針棒２に付与される往復の針棒ストロークを算出することができる。制御部７０は、かかる関数演算に替えて、エンコーダ６０による第二のベルクランク５４の検出回動角度と針棒ストロークとの対応関係を示すテーブルを備えている。一方、操作パネル７２は、オペレータが所望する針棒ストロークの値を設定する設定ボタンを供えており、制御部７０は、針棒ストロークの設定入力が行われると、前述したテーブルを参照して、適正な第二のベルクランク５４の角度を求め、エンコーダ６の出力が算出角度と一致するまで調節モータ５３の駆動を行う。これにより、針棒ストロークを所望の値に制御することが可能となる。
【００２４】
また、予め既知の縫いパターンの縫製を行う際には、制御部７０は、ミシンモータ３に併設されたタコジェネレータ４により針数を監視し、事前に設定した針数で針棒ストロークを変更調節する動作制御を実行する。
【００２５】
また、操作パネル７２に、針棒ストロークの増減キーを設け、いずれかのキーが一回操作されるたびに、所定の微小角度だけ第二のベルクランク５４が回動するように制御して、針棒ストロークを現在の値から微小単位で増減調節可能としても良い。
【００２６】
（針上下動機構の動作）
針上下動機構１０の動作説明を行う。前述したように、操作パネル７２から針棒ストロークの設定値の入力が行われ、制御部７０により調節モータ５３が駆動を行うと、移動体５６が上昇又は下降を行い、押圧バネ５８により加圧された第二のベルクランク５４は移動体５６の昇降に合わせて回動を行う。これにより、連結リンク５５を介して伝達リンク体３２，３３の連結点３８の移動が行われる。一方、主軸１はミシンモータ３により全回転を行っており、変換機構２０はこれを往復回動動作に変換して第一のベルクランク３１に付与する。第一のベルクランク３１は、伝達リンク体３２，３３を介して従動アーム３４に往復回動動作を伝達するところ、伝達リンク体３２，３３の連結点３８が移動するので、その往復回動角度が変化することとなる。従って、従動アーム３４，往復回動軸３５，主動アーム３６，小リンク３７を介して針棒２に付与される針棒ストロークも変化し、所望の値に調整される。
また、操作パネル７２には、各針棒２ごとに針棒停止スイッチが設けられており、縫製中に当該針棒停止スイッチが押されると、制御部７０は、停止を指示された方の針棒２に対応する電磁弁７１を制御し、電磁ソレノイド５２を作動させ、第二のベルクランク５４をストッパ５７に当接するまで引き寄せる。これにより、伝達リンク体３２，３３の連結点３８は、第一のベルクランク３１の支軸３９と同心となる位置に移動し、第一の伝達リンク３２は連結点３８（支軸３９）を中心に回動すると共に第二の伝達リンク３３は微動もしなくなるので、第一のベルクランク３１よりも針棒側への動力が伝わらなくなり、選択された針棒２についてのみ上下動が停止した状態となる。
【００２７】
（針上下動機構の効果）
以上のように、針上下動機構１０は、変換された往復動作を針棒２に伝達する端部同士が連結された二つの伝達リンク体３２，３３の連結点３８の位置を移動調節する調節モータ５３によって針棒ストロークを調節することから、部品交換の必要がなく、ミシンモータ３の動作中であっても容易にストローク調節を行うことが可能である。
さらに、縫製物の滑り安さや厚さ或いは上糸の糸番などの諸条件が変化した場合にも、速やかにこれに対応して針棒ストロークを変えることができ、特に、縫いの最中で布地の厚さ変化を生じた場合でもこれに対応し得るため、釜のループ捕捉ミスによる縫い不良を効果的に回避し、縫い品質の向上を図ることが可能となる。
【００２８】
また、針上下動機構１０、二つの伝達リンク体３２，３３の連結点３８の移動に伴って角度変化を生じる第二のベルクランク５４の回動角度を検出するエンコーダ６０により、第二のベルクランク５４の回動角度を監視しつつ調節モータ５３の動作制御を行うことから、目標動作量と実動作量とを一致させることができ、より正確に目標針棒ストロークに調節することが可能となる。
また、押圧バネ５８は、第二のベルクランク５４を移動体５６に当接する方向に付勢している。このため、電磁ソレノイド５２の前進位置への駆動により第二のベルクランク５４が移動体５４に当接すると、押圧バネ５８がその状態を維持するので、針棒ストローク調節後に電磁ソレノイドの電源を遮断することができ、省エネ効果がある。
【００２９】
（第２の実施形態）
本発明の第２実施形態を図６に基づき説明する。
図６は、針上下動機構の全体構成を示し、針棒作動状態の説明図である。
上記第１実施形態では、針棒ストロークの調整に各針棒１３０ごとに電磁ソレノイド５２と調整モータ５３を設けた。これに代えて、第２実施形態では各針棒１３０ごとに一個の調節モータ８０が針棒のストローク調整を行う。第２実施形態の説明では、第１実施形態と同一構成は同一の符号を付し、その詳細な説明は省略する。
【００３０】
この第２実施形態の針上下動機構１０Ａでは、前述した第二のベルクランク５４に替えて調節リンク８１を備えている。
図６に示す調節リンク８１は、一端側８１ｂが連結リンク５５に連結され、他端側が支軸５９に固定支持されている。支軸５９は支持枠５１（図１参照）に対して回動可能に支持されている。調節モータ８０は、本体部がミシンフレームに支持され、そのモータ軸が不図示のカップリングを介して、支軸５９に連結される。この調節モータ８０は、ステッピングモータや、エンコーダ付きステッピングモータや、サーボモータ等から構成される。また、調節モータ８０は、第１実施形態で説明した制御部７０により制御される。即ち、検出手段としてのエンコーダが第一と第二の伝達リンクの連結点３８の移動に伴う調節リンク８１の角度変化を検出し、当該検出角度が目標となる針棒ストロークとなるように調節モータ８１の制御が制御部７０により行われる。このため、調節モータ８０が回動すると、支軸５９の軸芯を中心に調節リンク８１が回動して、二つの伝達リンク体３２，３３の連結点３８を第一のベルクランク３１の支軸３９に重なる位置と当該位置より離間した離間位置との間を移動させることができる。そして、調節モータ８０が連結点３８の離間位置を維持することにより、針棒ストロークを調節することができる。特に、その調節範囲は、連結点３８が支軸３９と同心となる位置を含む範囲に設定されており、針棒ストロークを０とすることも可能となっている。
第２実施形態によれば、第１実施形態と同様の効果を奏すると共に、第１実施形態に比べてより簡単な構成で針棒ストロークを調整することができる。また、調節モータ８０に、エンコーダ付きステッピングモータやサーボモータを採用すると、針棒ストロークを所望の位置により正確に制御することができる。このエンコーダが、二つの伝達リンク体３２，３３の連結点３８の移動量を検出する検出手段となる。また、第２実施形態では、調節モータ８０が調節リンク８１、連結リンク５５を介して連結点３８を所定位置に保持するので、第１実施形態で説明した移動体５６や押圧バネ５８等を省略することができる。
【００３１】
（その他）
本願発明は、上記各実施形態に限定されることなく、種々変更可能である。
例えば、上記針上下動機構１０では、押圧バネ５８により第二のベルクランク５４の第一の回動腕部５４ａを移動体５６側に付勢し、電磁ソレノイド５２により第一の回動腕部５４ａをストッパ５７側に移動する。これに代えて、押圧バネ５８を引っ張りバネに交換するか、押圧バネの押圧方向を替えることで、バネにより、第二のベルクランク５４の第一の回動腕部５４ａをストッパ５７側に付勢し、電磁ソレノイド５２により移動体５６側に移動するよう構成しても良い。また、アクチュエータとして電磁ソレノイド５２を用いてたが、これに代えて、エアシリンダも用いてもよい。また、調節モータ５３に装着された移動体５６は、第二のベルクランク５４に当接しているが、これに代えて、シリンダ５２の駆動ロッドに当接することも容易に考えられる。
【００３２】
また、エンコーダ６０により第二のベルクランク５４の回動角度を検出しているが、伝達リンク体３２，３３の連結点の移動動作に伴って移動や回転動作を行う他の部材の移動量や回転量をエンコーダその他の直線的な位置変位の検出手段を用いて検出しても、上記構成と同様の効果を得ることが可能である。
【符号の説明】
【００３３】
１  主軸
２  針棒
３  ミシンモータ
１０  針上下動機構
２０  変換機構
２１  偏心カム
３０  伝達機構
３１  第一のベルクランク
３２  第一の伝達リンク体
３３  第二の伝達リンク体
３８  連結点
３９  支軸
５０  ストローク調節機構（移動調節機構）
５２  電磁ソレノイド（アクチュエータ）
５３，８０  調節モータ
５４  第二のベルクランク
５６  移動体（第１ストッパ）
５７  第２ストッパ
６０  エンコーダ（検出手段）
７０  制御部（制御手段）
８１  調節リンク
【図１】
2010012235.tif 000003
【図２】
2010012235.tif 000004
【図３】
2010012235.tif 000005
【図４】
2010012235.tif 000006
【図５】
2010012235.tif 000007
【図６】
2010012235.tif 000008
【図７】
2010012235.tif 000009
【図８】
2010012235.tif 000010